(57)【要約】  ベース（２）及びカバーを有するハウジングと、第１及び第２の側面を有する、ハウジング内に配置可能な取り出し式ファイバー整理用トレー（１１）を備えた通信用光ファイバーの端子エンクロージャ（１）。取り出し式ファイバー整理用トレーは、スプライス部分（１２）と、ファイバーコネクター取り付け部分（２８）と、進入するジャケット付きケーブル（１４）及びケーブル（６）の被覆が剥がされた部分のファイバー（１３）を格納するための部分とを有する。【選択図】図４Ｂ
2013522661.tif 000002
【特許請求の範囲】
【請求項１】
通信用光ファイバーの端子エンクロージャ（１）であって、
ベース（２）、カバー（３）を有するハウジングと、
第１の側面及び反対側の第２の側面を有する、前記ハウジング内に配置可能な取り出し式ファイバー整理用トレー（１１）と、を備え、
前記取り出し式ファイバー整理用トレーが、その第１の側面上にスプライス部分（１２）と、進入するジャケット付きケーブル及び前記ケーブル（６）の被覆が剥がされた部分のファイバーを格納するための部分（１３、１４）と、その第２の側面上にファイバーコネクター取り付け部分（２８）とを有する、端子エンクロージャ。
【請求項２】
前記取り出し式ファイバー整理用トレー（１１）が、前記トレーの一方の側面から他方の側面にファイバーを通すことを可能とする、前記トレーに形成された開口部（２３）を有する、請求項１に記載の端子エンクロージャ。
【請求項３】
前記取り出し式ファイバー整理用トレー（１１）が、前記端子エンクロージャ（１）に入る前記ジャケット付きケーブル（６）の経路を定めるケーブルガイド（２０、２１、２５）を与える、請求項１又は２に記載の端子エンクロージャ。
【請求項４】
前記ケーブルガイド（２０）が、前記取り出し式ファイバー整理用トレー（１１）の前記第１の側面の外縁部に沿って配置されている、請求項３に記載の端子エンクロージャ。
【請求項５】
前記取り出し式ファイバー整理用トレー（１１）が、前記ケーブルの被覆が剥がされた部分のファイバーを案内するための複数のファイバーガイド（１８）を与える、請求項１〜４のいずれか一項に記載の端子エンクロージャ。
【請求項６】
前記ファイバーガイド（１８）が、前記ケーブルガイド（２０、２１）の内側に配置されている、請求項５に記載の端子エンクロージャ。
【請求項７】
前記ケーブルガイド（２０、２１）が、ファイバー及びケーブルを案内するために使用される、請求項５に記載の端子エンクロージャ。
【請求項８】
前記取り出し式ファイバー整理用トレー（１１）が、光ファイバーピグテールと前記ファイバーとの間に形成された、スプライスを固定するための１組の取り付けアーム（１５）を有する、請求項１〜７のいずれか一項に記載の端子エンクロージャ。
【請求項９】
前記スプライスの取り付けアーム（１５）が、前記ケーブルガイド（２０、２１、２５）の内側に配置されている、請求項７に記載の端子エンクロージャ。
【請求項１０】
前記ベース（２）が、レール上に前記エンクロージャを取り付けるための取り付け手段（９ａ、９ｂ）を有することを特徴とする、請求項１〜９のいずれか一項に記載の端子エンクロージャ。
【請求項１１】
前記ベース（２）が、前記エンクロージャ内部に前記取り出し式ファイバー整理用トレー（１１）を固定するための固定手段（３４）を有することを特徴とする、請求項１〜１０のいずれか一項に記載の端子エンクロージャ。
【請求項１２】
前記ベース（２）が、前記エンクロージャ（１）に前記ケーブルが入るための切欠き部分（４）を有することを特徴とする、請求項１〜１１のいずれか一項に記載の端子エンクロージャ。
【請求項１３】
前記カバー（３）が、少なくとも２個の部分、前記ベース（２）及び前記整理用トレー（１１）を取り付けた後に前記ベースに固定される第１の部分（３’）と、前記エンクロージャ（１）へのアクセスを与えるための第２の着脱可能な部分（３”）と、を与えることを特徴とする、請求項１〜１２のいずれか一項に記載の端子エンクロージャ。
【請求項１４】
前記カバー（３）の前記着脱可能な部分（３”）が、前記取り出し式ファイバー整理用トレー（１１）の前記コネクター取り付け部分（２８）の付近又はその上に配置されることを特徴とする、請求項１〜１３のいずれか一項に記載の端子エンクロージャ。
【請求項１５】
前記エンクロージャ（１）から出るケーブル用の前記カバー（３）の切欠き部分（５）を特徴とする、請求項１〜１４のいずれか一項に記載の端子エンクロージャ。
【発明の詳細な説明】
【技術分野】
【０００１】
本発明は、ベース及びカバーを有するハウジングと、取り出し式ファイバー整理用トレーとを備えた通信用光ファイバーの端子エンクロージャに関する。
【背景技術】
【０００２】
通信ケーブルは、あらゆる形式のデータを広大なネットワーク全体に配信するために使用されている。通信ケーブルは一般的に、保護シース内に収納された個別の通信回線（光ファイバー又は銅線のいずれか）の束を有している。通信ケーブルはデータネットワーク全体に張り巡らされているため、ケーブル内の１以上の通信回線をスプライス接続し、これによりデータを通信ネットワークの他のケーブル又は「分岐」に分配できるようにケーブルを定期的に開く必要がある。ケーブル分岐は、ネットワークが個々の住宅、企業、事務所、敷地などに達するまで、更に分配されうる。
【０００３】
従来、サービスプロバイダーは、エンクロージャを建物内部の主アクセスポイント（しばしばファイバー分配ハブ（ＦＤＨ）と称される）に設置し、これにより、各フロア又は数フロア毎に設置された端子（ファイバー分配端子（ＦＤＴ）として知られる）にファイバーを供給する立ち上がりケーブルにサービスファイバーを接続する。ＦＤＴは、建物の立ち上がりケーブルを、１つの階のそれぞれの住戸につながる水平ドロップケーブルに接続する。ドロップケーブルは、通常はエンドユーザーの部屋の中に設置される端子エンクロージャ内で終端する。このような端子エンクロージャでは、ドロップケーブルの各ファイバーは、エンドユーザーがデータを受信及び／又は送信するために使用したい装置にファイバーを接続することができるように終端される。したがって、端子エンクロージャに入るドロップケーブルファイバーは、光ファイバーのピグテールにスプライス接続されるか、あるいは現場取り付け可能なコネクターで終端している。
【０００４】
欧州特許公開公報第２  ０４５  ６３６  Ａ１号は、コネクターを受容するための開口部を有するベースを有するハウジング、及びファイバーを確実に格納するためのファイバーガイドを備えた通信用光ファイバーの端子クロージャについて述べている。
【０００５】
国際特許出願公開第２００８／１２４  ２９３  Ａ１号は、底壁部並びに複数の側壁及びカバー部分を有するベースを備えたハウジングを有する通信ソケットについて開示している。ベース部分と、カバー部分とは互いに着脱可能に嵌合している。ベース部分は、側壁の異なる位置に光ファイバーを挿入するための複数のノックオフ穴、及び／又は底壁部に複数のファイバー入口を有している。ファイバーコネクター取り付け部分がベースから延びている。
【０００６】
特定の地域、特に人口密集地域において、契約者１人当たり所定の数のファイバーを設置することをプロバイダーに義務づける新たな規制が設けられている。このような規制の理由は、１本のファイバーを共有する代わりに各プロバイダーについて１本のファイバーが使用されうることによる。
【発明の概要】
【発明が解決しようとする課題】
【０００７】
これらの規制のため、エンドユーザーにおいて設置が可能であり、契約者１人当たりにつき複数のファイバーを設置することを可能とするような端子エンクロージャが求められている。このようなエンクロージャは、ファイバー端部を光ファイバーピッグテールにスプライス接続するか又は予めコネクターを取り付けたケーブルを設置できるようなスプライス領域を有する必要がある。このようなエンクロージャは、コネクターを取り付けることができる部分を更に有する必要がある。更にこのようなエンクロージャは、ケーブル及び／又はファイバーを格納するための領域を有する必要もある。更にこのような端子箱又はエンクロージャは、製造が容易であるとともに安価に製造可能であって、なおかつ取り扱いが容易、すなわち容易に設置できるものでなければならない。
【課題を解決するための手段】
【０００８】
本発明は、ベース、カバー、及び取り出し式ファイバー整理用トレーを有するハウジングを備えた通信用光ファイバーの端子エンクロージャを提供する。取り出し式ファイバー整理用トレーはハウジング内に配置可能であり、第１の側面及び反対側の第２の側面を有する。取り出し式ファイバー整理用トレーは、スプライス部分、ファイバーコネクター取り付け部分、並びに進入するジャケット付きケーブル及びケーブルの被覆が剥がされた部分のファイバーを格納するための部分を有する。換言すれば、本発明は、すべての統御機能がその上に集約された取り出し式トレーを備えた通信用光ファイバーの端子エンクロージャを提供するものである。本発明に基づく端子エンクロージャは、エンドユーザーの部屋の中に設置することが可能であり、ドロップケーブルの通信用のファイバーを箱の内部に配置されたコネクターにおいて終端させるために使用することができる。したがって、本発明に基づくエンクロージャに入るドロップケーブルファイバーは、コネクターにつながる光ファイバーピグテールにスプライス接続されうる。
【０００９】
本発明に基づくエンクロージャは、エンドユーザーの部屋においてファイバーを終端させるための非常に洗練された解決策を与えるものである。本エンクロージャは少ない数の部品で組み立てることが可能であり、ベース、カバー及びトレーのみを必要とし、したがって製造が容易かつ安価である。更にすべての機能、特にケーブル又はファイバーの統御機能が１つのトレー上に置かれ、そのトレーは取り出し可能なものである。このことは、箱の設置が非常に簡単であるという利点を有する。ハウジングからトレーを取り出し、これをテーブルの上に置いてドロップケーブルファイバーを終端させるのに必要なすべての操作を行うことが可能である。詳細には、取り出し式ファイバー整理用トレーは、スプライスを配置及び固定することができるスプライス部分を有する。このようなスプライスは、箱に入るファイバーと、やはりトレー上のファイバーコネクター取り付け部分に配置されたコネクターにつながる光ファイバーピグテールとの間に必要とされうる。更に、取り出し式ファイバー整理用トレーは、進入するジャケット付きケーブルを格納するための部分、及び、ジャケット付きケーブルから出るファイバー、例えばケーブルの被覆を剥がした部分を格納するための部分を有する。部品の数が少ないために、エンクロージャの体積を最小化することが可能である。更に、すべての統御機能が１つの取り出し式トレー上に置かれているため、エンクロージャ内のファイバー及びケーブルの統御が極めて効果的に行われる。
【００１０】
ハウジング及びトレーは、例えばポリカーボネート及び／又はアクリロニトリルブタジエンスチレンのようなプラスチックで形成することができる。これらは成形プロセスで製造できるため、有利である。
【００１１】
本発明に基づく端子エンクロージャは、エンクロージャに入る２本のジャケット付きドロップケーブルからのファイバーをスプライス接続するために使用することもできる。このような場合には、コネクター取り付け部分は用いられない。トレーのスプライシング部分及びスプライシング部分のみが用いられる。
【００１２】
本発明の一実施形態によれば、ケーブルのスプライス部分及び格納部分並びにファイバーが取り出し式ファイバー整理用トレーの第１の側面上に配置されるのに対して、コネクター取り付け部分は、取り出し式ファイバー整理用トレーの第２の側面上に配置される。この構成によれば、コネクターにアクセスすることが可能である一方で、ファイバースプライス部分及びファイバー格納部分はトレーの下で保護された状態に維持される。
【００１３】
本発明の別の実施形態によれば、取り出し式ファイバー整理用トレーは、整理用トレーの一方の側面から他方の側面へとファイバーを通すことを可能とする、トレーに形成された開口部を有しうる。トレーの一方の側面から他方の側面へとファイバーを通すためにトレーに形成された開口部を使用することは、ファイバーがトレーによって取り囲まれるために、ファイバーを通す安全な方法である。トレーがそのハウジング内に戻される場合、トレーにより、例えばハウジングに触れることによってファイバーが破壊されることがないよう確認する。更に、ファイバーを通すためのトレーの開口部は、空間を無駄にしない、ファイバーを通すための方法である。これにより、小型の本発明に基づく端子エンクロージャを設計することが可能となり、このような端子エンクロージャはエンドユーザーの部屋の中で使用されうるため、好ましい。開口部は、ファイバーを開口部に挿入するためのスロットを有してもよい。したがって開口部は、トレーの縁部に隣接して配置される。
【００１４】
取り出し式ファイバー整理用トレーは、端子エンクロージャに入るジャケット付きケーブルの経路を定めるケーブルガイドを与えることができる。更に、ケーブルガイドは、ファイバーを案内するために使用することもできる。ケーブルガイドは、下側の段でファイバー、例えば９００μｍのバッファー付きファイバーの、上側の段で端子エンクロージャに入るジャケット付きケーブルの経路を定める２段のガイドとすることができる。このケーブルガイドは、ケーブル格納部分に配置することができる。ケーブルガイドは、ファイバー及びケーブルをトレー上に固定するための手段、並びにファイバー及びケーブルを潜在的な損傷から保護するための手段を与えることができる。ケーブルガイドは、取り出し式ファイバー整理用トレーの第１の側面の外縁部に沿って配置することができる。ファイバーピグテールの９００μｍのバッファー付きファイバー又は予め終端されたドロップケーブルを、ケーブルガイド内で輪状に巻くことができる。進入ケーブルの余った長さを、ケーブルガイド内でトレーの周囲に輪状に巻くことができる。ケーブルガイドは、それぞれのケーブル屈曲部が、ジャケット付きケーブル内に保持された光ファイバーの最小曲げ半径に違反しないように設計される。更に、ケーブルガイドは、箱に入るドロップケーブルの方向とは関係なく使用することができ、かつ／又はドロップケーブルの隅が箱に入る。
【００１５】
本発明の別の実施形態によれば、取り出し式ファイバー整理用トレーは、ケーブルの被覆が剥がされた部分のファイバーを案内するための複数のファイバーガイドを提供するものである。これらのファイバーガイドは、ファイバー格納部分に配置することができる。ファイバーガイドは、トレー上にファイバーを固定するための手段、及び潜在的な損傷からファイバーを保護するための手段を与えることができる。ファイバーガイドは、ファイバーピグテール及びケーブルの被覆が剥がされた部分の余長溜め又は方向転換のためのファイバースプールであってもよい。更なるファイバー経路付け構造をトレー上に設けることによって、ファイバーピグテール及びドロップケーブルファイバーの収容及び方向付けを行う助けとすることができる。ファイバーガイドは、ファイバーの最小曲げ半径が満たされるように設計される。
【００１６】
ファイバーガイドは、ケーブルガイドの内側に配置することができる。この配置により、トレー上の空間が極めて効率的に利用される。ジャケット付きケーブルの曲げ半径は、ファイバーの曲げ半径よりも大きく、そのためケーブルガイドはファイバーガイドよりも大きな空間を必要とする。
【００１７】
取り出し式ファイバー整理用トレーは、光ファイバーピグテールとファイバーとの間に形成されるスプライスを固定するための１組の取り付けアームを更に有してもよい。これらの取り付けアームは、取り出し式ファイバー整理用トレーのスプライス部分に配置することができる。取り付けアームは、例えば４×４  ＦＩＢＲＬＯＫ（商標）スプライス（スリー・エム社（3M Company）、ミネソタ州セントポールより市販されるもの）などの異なる種類の機械的スプライスを固定することが可能であるように配置することができるまた、１以上の融合スプライスを保持できるようにホルダーを構成することができる。取り出し式ファイバー整理用トレーのスプライス部分は、トレーの一体部分として形成してもよく、又は着脱式としてもよい。
【００１８】
スプライスの取り付けアームは、ファイバーガイドとして、ケーブルガイドの内側に配置することができる。この構成により、トレー上の空間が極めて効率的に利用され、端子エンクロージャを最小の体積で設計することができる。
【００１９】
本発明の別の実施形態によれば、本発明に基づく端子エンクロージャのベースは、例えば標準的なＤＩＮレールのようなレール上にエンクロージャを取り付けるための取り付け手段を有してもよい。取り付け手段は、例えば、取り付けアーム、突起部などの、レール上に端子エンクロージャを固定することができる任意の種類の手段であってよい。取り付け手段は、端子エンクロージャをレール上にスナップ嵌めできるようにスナップ嵌め構造を有してもよい。取り付け手段間の距離は、端子エンクロージャを標準的なレール上に固定できるようなものである。取り付け手段は、端子エンクロージャをレール上で異なる方向に取り付けることができるようにベース上に配置することができる。端子エンクロージャのベースが、例えば、端子エンクロージャを壁又はビルトインボックスにネジで固定するための開口部などの、端子エンクロージャを固定するための他の手段又は要素を有することも可能である。
【００２０】
ベースは、取り出し式ファイバー整理用トレーをエンクロージャの内部に固定するための固定手段を更に有してもよい。エンクロージャの内部にトレーを固定することは、ケーブル及びファイバーを端子エンクロージャの内部に安全に格納することができるという利点を有しうる。取り出し式ファイバー整理用トレーを固定するための手段は、エンクロージャのカバー上に配置することができる。このような構成では、トレーはカバー内に固定され、その後、カバーをベース上に固定してハウジングを閉鎖する。固定手段は、ハウジング内にトレーをスナップ嵌めできるようにスナップ嵌め要素として設計することもできる。トレーがハウジング内にヒンジ連結されないことによって、トレーをハウジングから取り出すことができ、エンクロージャを設置する人がファイバー及びスプライスに非常にアクセスしやくなるという利点が得られる。ヒンジからトレーを分離することができるようにハウジング内にトレーをヒンジ連結することも無論可能である。
【００２１】
ベースは、エンクロージャにケーブルが入るための複数の切欠き部分を有してもよい。進入ケーブル用の開口部を与えるために複数の切欠き部分を有することは、ファイバーの曲げ半径が満たされた状態でファイバー又はケーブルがあらゆる方向でエンクロージャに入ることができるために、進入ケーブルを不要に折り曲げる必要がないようにそれぞれの用途にエンクロージャを容易に適合させることができるという利点を有する。エンクロージャに入るケーブル用のこれらの切欠き部分は、エラストマー接合によって仕上げることで、埃がエンクロージャに入らないようにすることができる。
【００２２】
本発明に基づく端子エンクロージャのカバーは、少なくとも２個の部分を有しうる。第１の部分は、ベース及び取り出し式ファイバー整理用トレーを取り付け又は設置した後にベースに固定することができ、第２の着脱可能又は取り外し可能な部分は、エンクロージャへの、例えばコネクター取り付け部分へのアクセスを与えるためにエンクロージャに着脱可能に取り付けることができる。第２の部分は、第１の部分から着脱可能である。カバーの着脱可能な部分は、取り出し式ファイバー整理用トレーのコネクター取り付け部分の近傍又は上に配置することができる。このようなカバーの実施形態によれば、コネクター取り付け部分へのアクセス及び保護が与えられる。着脱可能な部分が端子エンクロージャの他の部分へのアクセスを与えることも可能であり、カバーが複数の着脱可能な部分を与えることも可能である。
【００２３】
カバーは、エンクロージャを出る、例えばパッチコードなどのケーブル用の複数の切欠き部分を有してもよい。脱出ケーブル用の開口部を与えるための複数の切欠き部分を有することは、エンクロージャをそれぞれの用途に極めて容易に適合させることができるという利点を有する。更に、エンクロージャは、エンクロージャに入るドロップケーブルのファイバーの１本に接続されたそれぞれのケーブルに対して切欠き部分を与えることができる。
【００２４】
したがって、本明細書において述べる端子エンクロージャは、部品の数が少なくなりうることから容易かつ安価に製造される。更に端子エンクロージャは、すべてのケーブル及びファイバーの統御機能が１個のトレー上に集積され、このトレーがエンクロージャから着脱可能であるであることから、設置が容易である。エンクロージャの体積を最小とすることができ、更にケーブルは、曲げ半径が満たされた状態であらゆる方向でエンクロージャに入ることができる。エンクロージャ内のファイバー及びケーブルの統御は効果的である。
【図面の簡単な説明】
【００２５】
次に、本発明の特定の実施形態を例証する以下の図面を参照して本発明をより詳細に説明する。
【図１Ａ】本発明の一実施形態に基づくエンクロージャのハウジングの側面図。
【図１Ｂ】図１Ａのエンクロージャのハウジングの他の側面からの側面図。
【図１Ｃ】図１Ａ及び１Ｂのエンクロージャのハウジングの平面図。
【図２】ケーブルがハウジングに入っている図１Ａ〜１Ｃのエンクロージャのハウジングの底面図。
【図３】図１Ａ〜１Ｃのエンクロージャのハウジングのベースの底面図。
【図４Ａ】本発明の一実施形態に基づくエンクロージャの取り出し式ファイバー整理用トレーの第１の側面の平面図。
【図４Ｂ】図４Ａの取り出し式ファイバー整理用トレーの第１の側面の立体図。
【図５Ａ】図４の取り出し式ファイバー整理用トレーの第２の側面の平面図。
【図５Ｂ】取り出し式ファイバー整理用トレーの別の実施形態の第２の側面の平面図。
【図６】本発明に基づくエンクロージャのベース及びトレーの立体図。
【図７】取り付けられた状態の端子エンクロージャの平面図。
【発明を実施するための形態】
【００２６】
以下に本発明の異なる実施形態を説明し、図面に示す。図中、同様の要素には同様の参照番号を付してある。
【００２７】
図１Ａは、ベース２及びカバー３を有する本発明の一実施形態に基づく端子エンクロージャ１のハウジングの側面図である。ベース２及びカバー３は、ほぼ矩形の形状を有している。ベース２及びカバー３はそれぞれ、底壁部及び４つの側壁を有し、互いに嵌合することができる。ベース２は、進入ケーブル６を通すための２箇所の切欠き部分４を有している。切欠き部分４は、ベース２の側壁に配置されている。カバー３は、パッチコードである脱出ケーブル３３を通すための４箇所の切欠き部分５を有している。切欠き部分５は、カバー３の側壁に配置されている。図１Ｃは、図１Ａの端子エンクロージャを別の側面から見たものである。ベース２及びカバー３を見ることができる。この図では、ベース２から１箇所の切欠き部分４が見える。図１Ｂは、図１Ａのエンクロージャ１のハウジングの平面図である。カバー３のみを見ることができる。カバー３は、図７を参照して述べるように２個の部分３’及び３”を有している。図１Ｂの小さい矢印Ａは、ベース２が切欠き部分４を与えることによりケーブルが端子エンクロージャ１に入ることが可能な位置を示している。図に見られるように、切欠き部分４は端子エンクロージャ１の各隅に設けられており、更に切欠き部分４は、ケーブルがファイバーの曲げ半径を満たすように上から、右又は左から、更に下からエンクロージャ１に入ることができるように配置されている。
【００２８】
図２は、本発明に基づく端子エンクロージャ１の底面図である。ドロップケーブル６が、図３により分かりやすく見ることができる開口部７から（ベース２を介して）箱に入る。ベース２は、ほぼ矩形の形状を有している。ベース２は、例えば標準的ＤＩＮレールなどの標準的レールに端子エンクロージャ１を取り付けるための、９ａ又は９ｂにて示される突起部９の形状の取り付け手段を与える。３個の突起部９ａは関連しており、垂直なレールに端子エンクロージャ１を取り付けるために用いることができる。１個の突起部９ａが、左側からレールを保持し、２個の突起部９ａが右側からレールを保持する。また、３個の突起部９ｂは関連しており、水平なレールに端子エンクロージャ１を取り付けるために用いることができる。１個の突起部が上からレールを保持し、２個の突起部９ａが下からレールを保持する。ベースは、例えばエンクロージャが直接壁に固定される場合に、ネジ用の開口部１０などの端子エンクロージャを取り付け、又は固定するための更なる手段を与える。ベース２は、例えばエンクロージャが直接ビルトインボックスに固定される場合に、ネジ用の開口部８などの端子エンクロージャを取り付け、又は固定するための更なる手段を与える。開口部８は鍵穴の形状を有しており、概ね丸い部分がネジの頭を挿入するために用いられ、より狭く細長い部分は丸い部分から頭を挿入した後、ネジの柄を受容するために用いられる。図３に示されるように、更なる開口部７は進入ケーブル６へのアクセスを与えることができる。
【００２９】
図４Ａは、本発明の一実施形態に基づくエンクロージャ１の取り出し式ファイバー整理用トレー１１の第１の側面の平面図である。図４Ｂは、同様の取り出し式ファイバー整理用トレー１１の立体図である。取り出し式ファイバー整理用トレー１１の第１の側面は、スプライス部分１２、ファイバーを格納するための部分１３、並びにファイバー（９００μｍのバッファー付きファイバー）（下の段）及びジャケット付きケーブル（上の段）を格納するための２段部分１４を含んでいる。スプライス部分１２において、トレー１１は、機械的又は融合スプライス（図に示されていない）を保持するための複数の可撓性アーム１５を与える。可撓性アーム１５は、壁１６又は係止要素１７に対して所定の角度で配置されている。可撓性アーム１５と壁１６又はそれぞれの係止要素１７との間の空間にスプライスが導入されると、アーム１５はスプライスを壁１６及び係止要素１７に対して押し付けて、そこにスプライスを保持する。
【００３０】
ファイバーガイド１８は、スプライスにつながる、エンクロージャ１に入るケーブルの被覆が剥がされた部分のファイバーが輪状に巻くことができるように、ファイバーを格納するための部分１３内に配置される。更に、トレーの反対側においてスプライスからコネクターにつながるファイバーも、同様に取り出し式ファイバー整理用トレー１１の格納部分１３内で輪状に巻かれうる。ファイバーガイド１８は、トレーから延びる小さな壁である。ファイバーガイド１８は、ファイバーの最小の曲げ半径が確実に満たされるような半径を有する丸味を帯びた形状を有している。ガイド１８は、ファイバーを格納するための部分１３内で輪状に巻かれたファイバーが、トレー１１から離れることを防止する固定手段１９を与える。固定手段１９は、小さな壁の上部に配置され、トレー１１自体とほぼ平行に延びる突起部である。この構成により、ファイバーはトレー１１、ファイバーガイド１８、及び固定手段１９の間に保持される。
【００３１】
トレー１１は、ファイバー及びジャケット付きケーブル１４を格納するための部分１４内にケーブルガイド２０、２１を有している。ファイバー及びケーブルは、後述するように２段に格納される。ケーブルガイド２０、２１もまたトレーから延びる壁である。第１のケーブルガイド２０は、トレー１１の外縁部に配置されている。ガイド部分２５としてのガイド２０は、ガイド２０としてのトレー１１よりも高く延びている。第２のケーブルガイド２１は、トレー１１上のガイド２０に対してほぼ平行に配置されている。取り出し式ファイバー整理用トレー１１の一方の側面上において、ケーブルガイド２１は、トレー１１の第１の側面からトレー１１の第２の側面にファイバーを通す開口部２３につながるスリット２２を有している。取り出し式ファイバー整理用トレー１１の別の側面上において、ケーブルガイド２０は、トレー１１のケーブル保持部分２４内につながっている。ケーブルガイド２０、２１は、ケーブルをトレー１１に近接して保持するための固定手段２６を更に与える。固定手段２６は、２つのケーブルガイド２０、２１の間の距離とほぼ同じ長さを有する。ケーブルガイド２０、２１は、ガイド部分１４の下側部分において格納部分１３から開口部２３に延びるファイバーを保持するための固定手段２７も与える。固定手段２７は、バッファー付きファイバー、例えば９００μｍのバッファー付きファイバーを、ガイド部分の下側部分内において案内し、これらのファイバーを、固定手段２７と固定手段２６との間でガイド部分の上側部分内に維持された、エンクロージャに入るジャケット付きケーブルから分離することを可能とする。固定手段２６及び２７は、図４Ｂに見られるように２つの異なる段上に配置されている。
【００３２】
図５Ａは、図４の取り出し式ファイバー整理用トレー１１の第２の側面の平面図である。トレー１１の第２の側面は、ファイバーコネクター取り付け部分２８を有している。ファイバーコネクター取り付け部分内には、４個のアダプター２９を取り付けることができる。したがって、ファイバー接続取り付け部分は、アダプター２９をトレー１１上に保持しうるクリップ３１を与える。アダプター２９は、光ファイバーの標準的なコネクター化された端部が両側から挿入されることにより、２本のファイバー間の接続が確立されるように設計されている。図５には、トレー１１の第１の側面からトレー１１の第２の側面にファイバーを通すスリット２２を有する開口部２３が見られる。
【００３３】
図５Ｂは、取り出し式ファイバー整理用トレー１１の第２の側面の平面図である。図５Ｂの整理用トレー１１は、図５Ｂのアダプター２９が図５Ａのアダプター２９に対して垂直な位置に配置されている点において、図５Ａに示される整理用トレー１１と異なる。これらの図の間の別の相違点は、開口部２３及びスリット２２がトレー１１の別の側面上に配置されている点である。
【００３４】
図６は、トレー１１及び進入ケーブル６を備えたベース２の斜視図である。トレー１１は、ベース２から取り出されている。ケーブル６が、ベース２の穴７を通り、ケーブルの格納部分１４の上側部分内で輪状に巻かれている。ケーブル６は、ガイド２０及び２１によって、更に固定手段２６によって定位置に保持されている。トレー１１はベース２内に入れられる際に、固定手段３４上でベース２から分離することができる。固定手段はスナップ嵌め構造を有している。固定手段はトレー１１から延び、トレー１１を定位置に保持することが可能なフックを端部に有している。ベース２内にトレー１１を挿入する際、ベース２の下側の側壁の２個の平行な固定手段をある種のヒンジとして使用することができる。第１の段階では、トレー１１をこれら２個の固定手段と嵌合するように配置することができる。第２の段階では、トレー１１をこれらの固定手段３４を中心として旋回させることができる。第３の段階では、トレー１１をベース２の上側の側壁の第２の固定手段３４と嵌合させることができる。
【００３５】
図７は、取り付けられた状態の図１〜６の端子エンクロージャ１の平面図である。カバー３は、２個の部分３’及び３”を有している。カバーの部分３’は、ベース２に固定されている（図７には示されていない）。図３”は、端子エンクロージャ１から取り外されている。更に、進入ケーブル３２及び脱出パッチコード３３を見ることができる。脱出パッチコード３３は、アダプター２９に挿入されたコネクター３４で終端している。カバー３の部分３”は、カバー３の部分３”を部分３’に係留かつ固定するためのラッチ３５を有している。カバーを完全に閉じる、すなわち部分３”をエンクロージャに取り付ける前に、パッチコード３３をエンクロージャから脱離することができるようにカバー３の切欠き部分５（図１Ａに示される）を取り外さなければならない。
【図１Ａ】
2013522661.tif 000003
【図１Ｂ】
2013522661.tif 000004
【図１Ｃ】
2013522661.tif 000005
【図２】
2013522661.tif 000006
【図３】
2013522661.tif 000007
【図４Ａ】
2013522661.tif 000008
【図４Ｂ】
2013522661.tif 000009
【図５Ａ】
2013522661.tif 000010
【図５Ｂ】
2013522661.tif 000011
【図６】
2013522661.tif 000012
【図７】
2013522661.tif 000013
【国際調査報告】
2013522661.tif 000014
2013522661.tif 000015